(57)【要約】【課題】コイルのコアに対する位置を比較的容易に保持することが可能な回転電機の製造方法を実現する。【解決手段】回転電機の製造方法は変形工程と巻装工程と変形解除工程を備える。変形工程は、渡り部により接続される一対のコイル辺部３０同士の間隔を対象間隔Ａとし、コイル３がコア２に巻装された状態での対象間隔Ａを基準間隔Ｂとして、対象間隔Ａが基準間隔Ｂとは異なるように成形されたコイル３を用い、対象間隔Ａが基準間隔Ｂに合うように渡り部を外力により変形させる工程である。巻装工程は、変形工程により渡り部を変形させた状態を保持したままコイル３をコア２に巻装する工程である。変形解除工程は、巻装工程の実行後に、渡り部を変形させる外力を取り除いて、一対のコイル辺部３０のそれぞれを互いに周方向Ｃの反対側を向くスロット４０の側面部５０に当接させる工程である。【選択図】図４
2015035929.tif 000002
【特許請求の範囲】
【請求項１】
円筒状のコア基準面の軸方向及び径方向に延びるスロットが、前記コア基準面の周方向に複数分散配置されているコアと、当該コアに巻装された状態で前記スロット内に配置されるコイル辺部及び一対の前記コイル辺部を前記コアの前記軸方向の外側において接続する渡り部を有するコイルと、を備えた回転電機の製造方法であって、
前記渡り部により接続される一対の前記コイル辺部同士の間隔を対象間隔とし、当該一対のコイル辺部における、前記コイルが前記コアに巻装された状態での前記対象間隔を基準間隔として、
前記対象間隔が前記基準間隔とは異なるように成形された前記コイルを用い、前記対象間隔が前記基準間隔に合うように前記渡り部を外力により変形させる変形工程と、
前記変形工程により前記渡り部を変形させた状態を保持したまま、前記渡り部により接続される一対の前記コイル辺部のそれぞれが互いに異なる前記スロット内の予め定められた設定位置に配置されるように、前記コイルを前記コアに巻装する巻装工程と、
前記巻装工程の実行後に、前記外力を取り除いて、前記渡り部により接続される一対の前記コイル辺部のそれぞれを、互いに前記周方向の反対側を向く前記スロットの側面部に当接させる変形解除工程と、を備える回転電機の製造方法。
【請求項２】
前記変形工程では、前記軸方向を軸心とする円筒状に配置された前記コイルを全周に亘って前記径方向に加圧して、前記周方向に分散配置された複数の前記渡り部を変形させる請求項１に記載の回転電機の製造方法。
【請求項３】
前記巻装工程では、隣接する前記スロット間に形成されるティースを有するコア片を複数用い、前記コイルに対して前記径方向の外側に配置された複数の前記コア片を前記径方向の内側へ向けて移動させて、前記コイル辺部のそれぞれを前記設定位置に配置する請求項２に記載の回転電機の製造方法。
【請求項４】
前記渡り部により接続される一対の前記コイル辺部のうち、前記周方向の一方側である周第一方向側の前記コイル辺部が第一コイル辺部であり、前記周第一方向とは反対側である周第二方向側の前記コイル辺部が第二コイル辺部であり、
前記第一コイル辺部が配置される前記スロットの前記周第二方向側を向く側面部における、前記設定位置に配置された前記第一コイル辺部と前記周方向に対向する部分と、前記第二コイル辺部が配置される前記スロットの前記周第一方向側を向く側面部における、前記設定位置に配置された前記第二コイル辺部と前記周方向に対向する部分との間隔を第一基準スロット間隔として、
前記変形工程では、前記第一コイル辺部の前記周第一方向側を向く側面部と、前記第二コイル辺部の前記周第二方向側を向く側面部との間隔が、前記第一基準スロット間隔よりも大きくなるように成形された前記コイルを用いる請求項１から３のいずれか一項に記載の回転電機の製造方法。
【請求項５】
前記渡り部により接続される一対の前記コイル辺部のうち、前記周方向の一方側である周第一方向側の前記コイル辺部が第一コイル辺部であり、前記周第一方向とは反対側である周第二方向側の前記コイル辺部が第二コイル辺部であり、
前記第一コイル辺部が配置される前記スロットの前記周第一方向側を向く側面部における、前記設定位置に配置された前記第一コイル辺部と前記周方向に対向する部分と、前記第二コイル辺部が配置される前記スロットの前記周第二方向側を向く側面部における、前記設定位置に配置された前記第二コイル辺部と前記周方向に対向する部分との間隔を第二基準スロット間隔として、
前記変形工程では、前記第一コイル辺部の前記周第二方向側を向く側面部と、前記第二コイル辺部の前記周第一方向側を向く側面部との間隔が、前記第二基準スロット間隔よりも小さくなるように成形された前記コイルを用いる請求項１から３のいずれか一項に記載の回転電機の製造方法。
【発明の詳細な説明】
【技術分野】
【０００１】
本発明は、円筒状のコア基準面の軸方向及び径方向に延びるスロットが、コア基準面の周方向に複数分散配置されているコアと、当該コアに巻装された状態でスロット内に配置されるコイル辺部及び一対のコイル辺部をコアの軸方向の外側において接続する渡り部を有するコイルと、を備えた回転電機の製造方法に関する。
【背景技術】
【０００２】
上記のような回転電機として、特開２０１２−１２５０４３号公報（特許文献１）に記載されたものが知られている。特許文献１には、回転電機の製造方法に関して、円環状に形成されたコイルをステータコアに挿入した後、コイルを構成する同心巻コイル同士の接合部を溶接する構成が記載されている。
【０００３】
ところで、コイルがステータコアに対して軸方向に移動すると、コイルエンド部が他の部材と干渉するおそれがあり、また、コイルエンド部と回転電機を収容するケースとの間の距離が短くなることで、これらの間の電気的絶縁性を適切に確保することが困難になるおそれがある。また、コイルがステータコアに対して径方向に移動すると、コイルとロータとの距離が短くなることで、コイルに発生する渦電流損が大きくなるおそれがある。しかしながら、特許文献１では、これらの点について特段の認識がなされていなかった。
【先行技術文献】
【特許文献】
【０００４】
【特許文献１】特開２０１２−１２５０４３号公報（段落００５１、００７０）
【発明の概要】
【発明が解決しようとする課題】
【０００５】
そこで、コイルのコアに対する位置を比較的容易に保持することが可能な回転電機の製造方法の実現が望まれる。
【課題を解決するための手段】
【０００６】
本発明に係る、円筒状のコア基準面の軸方向及び径方向に延びるスロットが、前記コア基準面の周方向に複数分散配置されているコアと、当該コアに巻装された状態で前記スロット内に配置されるコイル辺部及び一対の前記コイル辺部を前記コアの前記軸方向の外側において接続する渡り部を有するコイルと、を備えた回転電機の製造方法の特徴構成は、前記渡り部により接続される一対の前記コイル辺部同士の間隔を対象間隔とし、当該一対のコイル辺部における、前記コイルが前記コアに巻装された状態での前記対象間隔を基準間隔として、前記対象間隔が前記基準間隔とは異なるように成形された前記コイルを用い、前記対象間隔が前記基準間隔に合うように前記渡り部を外力により変形させる変形工程と、前記変形工程により前記渡り部を変形させた状態を保持したまま、前記渡り部により接続される一対の前記コイル辺部のそれぞれが互いに異なる前記スロット内の予め定められた設定位置に配置されるように、前記コイルを前記コアに巻装する巻装工程と、前記巻装工程の実行後に、前記外力を取り除いて、前記渡り部により接続される一対の前記コイル辺部のそれぞれを、互いに前記周方向の反対側を向く前記スロットの側面部に当接させる変形解除工程と、を備える点にある。
【０００７】
上記の特徴構成によれば、対象間隔が基準間隔に合うように渡り部が外力により変形された状態で、巻装工程によって渡り部により接続される一対のコイル辺部のそれぞれがスロット内に配置される。ここで、基準間隔は、コイルがコアに巻装された状態での対象間隔である。そのため、巻装工程において、一対のコイル辺部のそれぞれをスロット内に比較的容易に配置することができる。更に、上記の特徴構成によれば、変形解除工程を実行することで、渡り部により接続される一対のコイル辺部のそれぞれを、互いに周方向の反対側を向くスロットの側面部に当接させることができる。ここで、対象間隔が基準間隔に合うように外力により変形された渡り部には、一般に復元力が発生する。なお、渡り部の変形が弾性変形である場合のみでなく、渡り部の変形が塑性変形である場合でも、渡り部には弾性変形分に応じた復元力が発生し得る。そのため、変形解除工程では、渡り部を変形させるための外力（荷重）を取り除くことで、渡り部に発生する復元力を利用して、一対のコイル辺部のそれぞれを、互いに周方向の反対側を向くスロットの側面部に当接させることができる。この結果、一対のコイル辺部のそれぞれとスロットの側面部との間に発生する摩擦力を、コイルのコアに対する位置を保持するための力に利用することができる。従って、当該摩擦力によりコイルのコアに対する位置を保持でき、或いは、当該摩擦力を利用することができる分だけコイルのコアに対する位置を保持するための構成を簡素化することができる。
以上のように、上記の特徴構成によれば、コイルのコアに対する位置を比較的容易に保持することが可能な回転電機の製造方法を実現することができる。この結果として、例えば、回転電機の製造工数の低減や、回転電機の製造設備の簡素化を図ることが可能となる。
【０００８】
ここで、前記変形工程では、前記軸方向を軸心とする円筒状に配置された前記コイルを全周に亘って前記径方向に加圧して、前記周方向に分散配置された複数の前記渡り部を変形させる構成とすると好適である。
【０００９】
この構成によれば、渡り部により接続される一対のコイル辺部のそれぞれをスロット内に配置する巻装工程を、複数の渡り部のそれぞれについて共通の工程とすることができるため、回転電機の製造工数の低減を図ることができる。
【００１０】
上記のように、前記変形工程では前記軸方向を軸心とする円筒状に配置された前記コイルを全周に亘って前記径方向に加圧する構成において、前記巻装工程では、隣接する前記スロット間に形成されるティースを有するコア片を複数用い、前記コイルに対して前記径方向の外側に配置された複数の前記コア片を前記径方向の内側へ向けて移動させて、前記コイル辺部のそれぞれを前記設定位置に配置する構成とすると好適である。
【００１１】
この構成によれば、コアが周方向において一体的に形成される場合に比べて、巻装工程の簡素化を図ることができる。また、コアが周方向に一体的に形成される場合に比べて、コイルエンド部の形状に制約が生じることを抑制することもできる。
【００１２】
上記の各構成の回転電機の製造方法において、前記渡り部により接続される一対の前記コイル辺部のうち、前記周方向の一方側である周第一方向側の前記コイル辺部が第一コイル辺部であり、前記周第一方向とは反対側である周第二方向側の前記コイル辺部が第二コイル辺部であり、前記第一コイル辺部が配置される前記スロットの前記周第二方向側を向く側面部における、前記設定位置に配置された前記第一コイル辺部と前記周方向に対向する部分と、前記第二コイル辺部が配置される前記スロットの前記周第一方向側を向く側面部における、前記設定位置に配置された前記第二コイル辺部と前記周方向に対向する部分との間隔を第一基準スロット間隔として、前記変形工程では、前記第一コイル辺部の前記周第一方向側を向く側面部と、前記第二コイル辺部の前記周第二方向側を向く側面部との間隔が、前記第一基準スロット間隔よりも大きくなるように成形された前記コイルを用いる構成とすると好適である。
【００１３】
この構成によれば、渡り部を変形させるための外力（荷重）を取り除いた際に、渡り部に発生する復元力によって、第一コイル辺部がスロットの周第二方向側を向く側面部に当接すると共に、第二コイル辺部がスロットの周第一方向側を向く側面部に当接する構成とすることができる。また、上記の構成によれば、例えば、変形工程で用いるコイルとして、成形荷重の比較的小さい形状（例えば、屈曲部の曲率半径の比較的大きい形状）のコイルを用いることが可能となる。この場合、変形工程で用いるコイルの成形時に絶縁皮膜に加わるストレスを抑制して、コイルの電気的絶縁性を適切に確保することが容易となる。
【００１４】
上記の各構成の回転電機の製造方法において、前記渡り部により接続される一対の前記コイル辺部のうち、前記周方向の一方側である周第一方向側の前記コイル辺部が第一コイル辺部であり、前記周第一方向とは反対側である周第二方向側の前記コイル辺部が第二コイル辺部であり、前記第一コイル辺部が配置される前記スロットの前記周第一方向側を向く側面部における、前記設定位置に配置された前記第一コイル辺部と前記周方向に対向する部分と、前記第二コイル辺部が配置される前記スロットの前記周第二方向側を向く側面部における、前記設定位置に配置された前記第二コイル辺部と前記周方向に対向する部分との間隔を第二基準スロット間隔として、前記変形工程では、前記第一コイル辺部の前記周第二方向側を向く側面部と、前記第二コイル辺部の前記周第一方向側を向く側面部との間隔が、前記第二基準スロット間隔よりも小さくなるように成形された前記コイルを用いる構成としても好適である。
【００１５】
この構成によれば、渡り部を変形させるための外力（荷重）を取り除いた際に、渡り部に発生する復元力によって、第一コイル辺部がスロットの周第一方向側を向く側面部に当接すると共に、第二コイル辺部がスロットの周第二方向側を向く側面部に当接する構成とすることができる。また、上記の構成によれば、例えば、渡り部が軸方向に見て周方向に沿って延びる円弧状部分を有する場合に、変形工程を、渡り部を径方向の内側から加圧する構成とすることが可能となる。この場合、例えば、上記のように巻装工程が複数のコア片を径方向の内側へ向けて移動させる工程を含む場合に、当該巻装工程の簡素化を図ることが可能となる。
【図面の簡単な説明】
【００１６】
【図１】本発明の実施形態に係るステータの一部の断面図である。
【図２】本発明の実施形態に係るコイルユニットの径方向視図である。
【図３】本発明の実施形態に係るコイルユニットの軸方向視図である。
【図４】本発明の実施形態に係るコイルユニットのステータコアへの配置状態を示す図である。
【図５】本発明の実施形態に係る配置工程の実行後のコイルの配置状態を示す図である。
【図６】本発明の実施形態に係る加圧工程で用いるコイルユニットの断面図である。
【図７】本発明の実施形態に係る加圧工程の実行後の各部の配置状態を示す図である。
【図８】本発明の実施形態に係る巻装工程を実行する際の各部の配置状態を示す図である。
【図９】本発明の実施形態に係る加圧解除工程の実行後の各部の配置状態を示す図である。
【図１０】本発明の実施形態に係る回転電機の製造方法を示すフローチャートである。
【図１１】本発明のその他の実施形態に係る加圧工程で用いるコイルユニットの断面図である。
【発明を実施するための形態】
【００１７】
本発明に係る回転電機の製造方法の実施形態について、図面を参照して説明する。ここでは、本発明に係る回転電機の製造方法を、インナロータ型の回転電機１００（図１参照）の製造方法に適用した場合を例として説明する。本実施形態では、回転電機１００は回転界磁型の回転電機であり、コイル３の巻装対象のコアは、ステータ１のコア（ステータコア２）である。すなわち、本実施形態では、ステータコア２が本発明における「コア」に相当する。本明細書では、「回転電機」は、モータ（電動機）、ジェネレータ（発電機）、及び必要に応じてモータ及びジェネレータの双方の機能を果たすモータ・ジェネレータのいずれをも含む概念として用いている。
【００１８】
以下の説明では、特に区別して明記している場合を除き、「軸方向Ｌ」、「周方向Ｃ」、及び「径方向Ｒ」は、円筒状のコア基準面Ｓ（図１参照）を基準として定義している。「周第一方向Ｃ１」は、周方向Ｃにおける一方側へ向かう方向を表し、「周第二方向Ｃ２」は、周方向Ｃにおける他方側へ向かう方向（周第一方向Ｃ１とは反対方向）を表す。また、以下の説明では、コイル３がステータコア２に巻装された状態（図１、図９参照）を想定して、ステータコア２に巻装される前の状態のコイル３の説明においても、軸方向Ｌ、周方向Ｃ、及び径方向Ｒの各方向を用いて説明する。本明細書では、寸法、配置方向、配置位置等に関する用語は、誤差（製造上許容され得る程度の誤差）による差異を有する状態も含む概念として用いている。
【００１９】
１．回転電機の全体構成
回転電機１００は、図１に示すように、ステータ１を備えている。ステータ１は、ステータコア２と、ステータコア２に巻装されるコイル３とを備える。ステータ１は、電機子として機能する。ステータコア２の径方向Ｒの内側には、永久磁石や電磁石等を備える界磁としてのロータ（図示せず）が配置され、ステータ１から発生する回転磁界によりロータが回転する。本実施形態では、回転電機１００は、三相交流（多相交流の一例）で駆動される回転電機であり、Ｕ相コイル、Ｖ相コイル、及びＷ相コイルの３つの相コイルを備えたコイル３が、ステータコア２に巻装される。
【００２０】
ステータコア２には、軸方向Ｌ及び径方向Ｒに延びるスロット４０が、周方向Ｃに複数分散配置されている。複数のスロット４０は、周方向Ｃに沿って一定間隔で配置されている。本実施形態では、毎極毎相あたりのスロット数が“２”であり、ステータコア２には、各相用のスロット４０が、２つずつ周方向Ｃに沿って繰り返し現れるように配置されている。周方向Ｃに隣接する２つのスロット４０の間には、ティース２３が形成される。上述した「円筒状のコア基準面」は、スロット４０の配置や構成に関して基準となる仮想面であり、本実施形態では、図１に示すように、複数のティース２３のそれぞれの径方向Ｒの内側の端面を含む円筒状の仮想面（コア内周面）を、コア基準面Ｓとしている。ステータコア２の径方向Ｒの外側の面（コア外周面）等をコア基準面Ｓとしても良い。
【００２１】
スロット４０のそれぞれは、ステータコア２を軸方向Ｌに貫通するように形成されている。スロット４０のそれぞれは、径方向Ｒの内側に向けて開口する開口部４０ａを有する。本実施形態では、スロット４０のそれぞれは、周方向Ｃの中央部を結ぶ仮想線（すなわち、幅方向中心線）が径方向Ｒに平行に延びるように形成されている。また、本実施形態では、スロット４０のそれぞれはオープンスロットであり、ティース２３の径方向Ｒの内側の端部には、セミオープンスロットの場合に備えられるような周方向Ｃに突出する突出部は形成されていない。すなわち、スロット４０の周方向Ｃの両側の側面部５０（周方向Ｃに対向する２つの側面部５０）は、径方向Ｒの内側の端部まで連続する平面となるように形成されている。ここで、図４に示すように、周方向Ｃの両側の側面部５０のうち、周第一方向Ｃ１側の側面部５０（すなわち、周第二方向Ｃ２側を向く側面部５０）を第一側面部５１とし、周第二方向Ｃ２側の側面部５０（すなわち、周第一方向Ｃ１側を向く側面部５０）を第二側面部５２とする。本実施形態では、スロット４０の周方向Ｃの幅は、径方向Ｒに沿って均一に形成されている。すなわち、本実施形態では、スロット４０は平行スロットであり、スロット４０の両側の側面部５０は、互いに平行に形成されている。すなわち、スロット４０は、軸方向Ｌに見て長方形状に形成されている。
【００２２】
本実施形態では、ステータコア２は、複数のコア片２０を周方向Ｃに沿って環状に配列して構成される。コア片２０のそれぞれは、周方向Ｃに延びる本体部２０ａ（ヨーク部）と、本体部２０ａから径方向Ｒの内側に延びるティース２３とを備える。本体部２０ａの周方向Ｃの両側の側面部が、隣接するコア片２０との接合面２１とされる。本例では、接合面２１には、隣接するコア片２０同士を位置決めするための嵌合部２０ｂが形成されている。本実施形態では、接合面２１は、スロット４０に対応する周方向Ｃの位置（ここではスロット４０の周方向Ｃの中央部）に形成されている。環状に配置された複数のコア片２０は、例えば、径方向Ｒの外側の面（外周面）に嵌合された円筒状の固定部材を用いて、互いに移動不能に固定される。コア片２０は、例えば、複数枚の磁性体板（例えば、ケイ素鋼板等の電磁鋼板）を積層して構成され、或いは、磁性材料の粉体を加圧成形してなる圧粉材を主な構成要素として構成される。
【００２３】
本実施形態では、複数のコア片２０は、互いに同じ形状を有している。また、本実施形態では、コア片２０のそれぞれは、２つのティース２３を備えている。ステータ１を製造する際には、後述するように、ステータコア２に巻装された状態と同じ円筒状に形成されたコイル３に対して、複数のコア片２０を径方向Ｒの外側から挿入する。この際、１つのコア片２０の２つのティース２３の間に形成されるスロット４０を含む全てのスロット４０が平行スロットであるため、コイル３に対して径方向Ｒの外側から容易にコア片２０を装着することができる。
【００２４】
コイル３は、図１及び図２に示すように、延在方向に直交する断面である直交断面の形状が矩形状の線状導体３４を用いて構成される。すなわち、コイル３は、平角線を用いて構成される。ここで、「矩形状」には、角部が円弧状の矩形や、内角の大きさと９０度との差の絶対値が予め定められた角度（例えば、５度や１０度等）未満の矩形を含む。線状導体３４は、弾性変形に加えて塑性変形が可能な材料を用いて形成されている。また、線状導体３４は、導電性を有する材料（例えば、銅やアルミニウム等の金属）を用いて形成され、線状導体３４の表面は、他の導体との接続部等の一部を除いて、樹脂（例えばエナメル等）等からなる絶縁皮膜により被覆されている。すなわち、線状導体３４は、絶縁皮膜付平角線であり、本実施形態では、絶縁皮膜は、線状導体３４における直交断面の全周に亘って形成されている。
【００２５】
コイル３は、コイル辺部３０と渡り部３８とを備える。コイル辺部３０は、コイル３がステータコア２に巻装された状態で、スロット４０の内部に配置される部分である。コイル辺部３０は、軸方向Ｌに沿って（設計上、軸方向Ｌに平行に）延びるように直線状に形成される。コイル辺部３０は、図４に示すように、周第一方向Ｃ１側を向く側面部である第一側面部６１と、周第二方向Ｃ２側を向く側面部である第二側面部６２とを備える。渡り部３８は、コイル３がステータコア２に巻装された状態で、一対のコイル辺部３０をステータコア２の軸方向Ｌの外側において接続する部分である。渡り部３８は、ステータコア２から軸方向Ｌに突出するコイル３の部分であるコイルエンド部を形成する。図１に示すように、スロット４０の内部には、複数のコイル辺部３０が配置される。コイル辺部３０のそれぞれには、スロット４０内における配置位置が予め設定位置として設定されている。本実施形態では、スロット４０の内部には、複数のコイル辺部３０が一列に並んで径方向Ｒに沿って整列配置される。すなわち、１つのコイル辺部３０の径方向Ｒの配置領域を１層とすると、各スロット４０には、複数のコイル辺部３０が複数の層（本例では１０層）に分かれて配置される。このように、本実施形態では、コイル辺部３０のそれぞれには、層の位置（層の番号）が設定位置として予め設定される。
【００２６】
本実施形態では、コイル３は、複数のコイルユニット１０（図２、図３参照）を用いて形成される。コイルユニット１０のそれぞれは、周第一方向Ｃ１側に配置される第一コイル辺部３１と、周第二方向Ｃ２側に配置される第二コイル辺部３２とを、コイル辺部３０として備える。本実施形態では、コイルユニット１０のそれぞれは、複数の第一コイル辺部３１と複数の第二コイル辺部３２とを備える。具体的には、本実施形態では、コイルユニット１０は、一対のスロット４０間に複数回巻回される単コイル部（重ね巻部）である。コイルユニット１０は、ステータコア２に巻装される前に螺旋状に成形されるカセットコイルである。すなわち、本実施形態では、コイル３は重ね巻によりステータコア２に巻装される。図２に示す例では、コイルユニット１０は、１本の線状導体３４を螺旋状に複数回巻回して形成されている。
【００２７】
コイルユニット１０は、線状導体３４の延在方向の両端部のそれぞれに、言い換えれば、電流の流れ方向の両端部のそれぞれに、接続部３９を備える。本実施形態では、接続部３９は、延在方向を周方向Ｃの一方側に屈曲する周方向屈曲部や、延在方向を径方向Ｒの内側に屈曲する径方向屈曲部を備えるが、図２では簡略化のため、接続部３９の形状を軸方向Ｌに沿った直線状としている。上記の径方向屈曲部を備えることで、図９に示すように、接続部３９の先端側部分は径方向Ｒに沿って延びるように形成される。接続部３９は、他のコイルユニット１０の接続部３９と接合されて渡り部３８を共に構成し、或いは、電源端子や中性点等に接続される。以下の説明では、特に断らない限り、渡り部３８は、１つのコイルユニット１０に含まれる渡り部３８を指し、異なるコイルユニット１０の接続部３９同士を接合して構成される渡り部３８は含まないものとする。
【００２８】
コイル３を構成する複数のコイルユニット１０は、周方向Ｃの配設位置を除き、本例では更に接続部３９の形状を除き、互いに同様に構成されている。本実施形態では、１つのコイルユニット１０の第一コイル辺部３１と第二コイル辺部３２とは、図４に示すように、スロット４０の配設ピッチの６倍だけ離間して配置された一対のスロット４０に分かれて配置される。第一コイル辺部３１及び第二コイル辺部３２のそれぞれは、径方向Ｒに隣接する２つのコイル辺部３０の間に１層分の隙間Ｇが形成されるように、径方向Ｒに沿って間隔をあけながら一列に並んで配置される。具体的には、スロット４０内の最も径方向Ｒの内側の層を第一層とし、そこから径方向Ｒの外側に向かって順に、第二層、第三層、・・・、第十層とすると、第一コイル辺部３１は偶数番目の層に配置され、第二コイル辺部３２は奇数番目の層に配置されている。そして、スロット４０と同数のコイルユニット１０を周方向Ｃの一方側にスロット４０の配設ピッチ分ずつずらしながら配置することで、コイル３が構成される。各スロット４０には、スロット４０の配設ピッチの６倍だけ離間して配置された２つのコイルユニット１０の一方の第一コイル辺部３１と他方の第二コイル辺部３２とが、１つずつ径方向Ｒに沿って交互に配置される。
【００２９】
本実施形態では、渡り部３８は、互いに異なるスロット４０内の互いに隣接する層にそれぞれ配置された一対のコイル辺部３０同士を接続する。そのため、渡り部３８には、図２及び図３に示すように、線状導体３４を径方向Ｒに１層分オフセットさせるオフセット部３７が形成されている。本例では、図２に示すように、オフセット部３７は、渡り部３８におけるステータコア２から軸方向Ｌに最も離れる部位（頂部）に形成されている。また、渡り部３８におけるオフセット部３７を除く部分（具体的には、渡り部３８におけるオフセット部３７よりも周第一方向Ｃ１側の部分、及び渡り部３８におけるオフセット部３７よりも周第二方向Ｃ２側の部分）は、軸方向Ｌに見て、周方向Ｃに沿って延びる円弧状に形成されている。これにより、異なるコイルユニット１０の渡り部３８同士を互いに干渉させることなく、スロット４０の配設ピッチ毎に複数のコイルユニット１０を配置することが可能となっている。
【００３０】
２．回転電機の製造方法
次に、本実施形態に係る回転電機１００の製造方法について説明する。図１０に示すように、回転電機１００を製造する工程には、ステータ１を製造する工程（Ｐ１〜Ｐ５）が含まれ、具体的には、準備工程Ｐ１、配置工程Ｐ２、加圧工程Ｐ３、巻装工程Ｐ４、及び加圧解除工程Ｐ５が含まれる。本実施形態では、加圧工程Ｐ３が本発明における「変形工程」に相当し、加圧解除工程Ｐ５が本発明における「変形解除工程」に相当する。
【００３１】
準備工程Ｐ１は、巻回軸周りの螺旋状に線状導体３４を巻回して形成された環状コイルを、コイルユニット１０（図２参照）として用意する工程である。本実施形態では、準備工程Ｐ１では、スロット４０と同数のコイルユニット１０を用意する。準備工程Ｐ１では、対象間隔Ａが基準間隔Ｂとは異なるように成形されたコイルユニット１０を用意する。具体的には、対象間隔Ａが基準間隔Ｂよりも大きくなるように成形されたコイルユニット１０を用意する。ここで、対象間隔Ａとは、図２に示すように、渡り部３８により接続される一対のコイル辺部３０同士の間隔（第一コイル辺部３１と第二コイル辺部３２との間隔）であり、基準間隔Ｂとは、図４に示すように、当該一対のコイル辺部３０における、コイル３がステータコア２に巻装された状態での対象間隔Ａである。図２及び図４では、簡略化のため、第二層に配置される第一コイル辺部３１と第一層に配置される第二コイル辺部３２とについての対象間隔Ａ及び基準間隔Ｂのみを示しているが、対象間隔Ａ及び基準間隔Ｂのそれぞれは、渡り部３８により接続される一対のコイル辺部３０の組み合わせの全てについて、個別に定義される。
【００３２】
以下では、第二層に配置される第一コイル辺部３１と第一層に配置される第二コイル辺部３２とを接続する渡り部３８に着目して、当該渡り部３８並びにそれによって接続される第一コイル辺部３１及び第二コイル辺部３２の構成について、具体的に説明する。すなわち、以下では、第二層に配置される第一コイル辺部３１について単に第一コイル辺部３１と記載し、第一層に配置される第二コイル辺部３２について単に第二コイル辺部３２と記載し、これらの第一コイル辺部３１及び第二コイル辺部３２を単に一対のコイル辺部３０と記載し、これらの第一コイル辺部３１及び第二コイル辺部３２を接続する渡り部３８について単に渡り部３８と記載する場合がある。他の渡り部３８及びそれによって接続される一対のコイル辺部３０については、対象間隔Ａ等の間隔の大きさが異なる点を除いて同様であるため、具体的な説明は省略する。
【００３３】
本実施形態では、対象間隔Ａを、渡り部３８により接続される第一コイル辺部３１と第二コイル辺部３２との間の距離（直線距離、以下同様）、具体的には、第一コイル辺部３１の中心線３０ａと、第二コイル辺部３２の中心線３０ａとの間の距離としている。ここで、中心線３０ａとは、コイル辺部３０の直交断面における中心又は重心を延在方向に沿って連続的に結んだ線である。なお、対象間隔Ａを、軸方向Ｌに直交する断面（例えば、軸方向Ｌの中央部における軸方向Ｌに直交する断面、以下同様）における第一コイル辺部３１と第二コイル辺部３２との間の距離（例えば、直交断面における中心間又は重心間の距離）とすることも可能である。
【００３４】
本実施形態では、対象間隔Ａが基準間隔Ｂよりも大きくなるように成形されたコイルユニット１０として、図６に示すようなコイルユニット１０を用いている。このコイルユニット１０は、渡り部３８により接続される第一コイル辺部３１と第二コイル辺部３２とについて、第一コイル辺部３１の第一側面部６１と第二コイル辺部３２の第二側面部６２との間隔が、第一基準スロット間隔Ｄ１よりも大きくなるように成形されたコイルユニットである。ここで、第一基準スロット間隔Ｄ１は、第一コイル辺部３１が配置されるスロット４０の第一側面部５１における、設定位置に配置された第一コイル辺部３１と周方向Ｃに対向する部分（以下、「第一部分」とする。）と、第二コイル辺部３２が配置されるスロット４０の第二側面部５２における、設定位置に配置された第二コイル辺部３２と周方向Ｃに対向する部分（以下、「第二部分」とする。）との間隔である。第一基準スロット間隔Ｄ１は、渡り部３８により接続される一対のコイル辺部３０の組み合わせの全てについて、個別に定義される。なお、設定位置は、上述したように、本実施形態では層の位置である。図６では、発明の理解を容易にすべく、スロット４０内の設定位置に配置された状態のコイルユニット１０（破線）及びステータコア２（二点鎖線）に重ねるように、対象間隔Ａが基準間隔Ｂよりも大きくなるように成形されたコイルユニット１０（実線）を示している。この際、対応するコイル辺部３０同士が径方向Ｒの同じ位置に配置されるように重ねている。
【００３５】
本実施形態では、第一コイル辺部３１の第一側面部６１と第二コイル辺部３２の第二側面部６２との間隔を、第一コイル辺部３１の第一側面部６１と第二コイル辺部３２の第二側面部６２との間の距離、具体的には、当該第一側面部６１における径方向Ｒの中央部を結ぶ仮想線と、当該第二側面部６２における径方向Ｒの中央部を結ぶ仮想線との間の距離としている。なお、この間隔を、軸方向Ｌに直交する断面における第一コイル辺部３１の第一側面部６１と第二コイル辺部３２の第二側面部６２との間の距離（例えば、径方向Ｒの中央部同士の距離）とすることも可能である。また、本実施形態では、第一基準スロット間隔Ｄ１を、上記第一部分と上記第二部分との間の距離、具体的には、第一部分における径方向Ｒの中央部を結ぶ仮想線と、第二部分における径方向Ｒの中央部を結ぶ仮想線との間の距離としている。なお、第一基準スロット間隔Ｄ１を、軸方向Ｌに直交する断面における第一部分と第二部分との間の距離（例えば、径方向Ｒの中央部同士の距離）とすることも可能である。
【００３６】
上述したように、本実施形態では、渡り部３８におけるオフセット部３７を除く部分は、軸方向Ｌに見て、周方向Ｃに沿って延びる円弧状に形成されている。そして、本実施形態では、この円弧の径が、コイル３がステータコア２に巻装された状態での径よりも大きくなるようにコイルユニット１０を成形することで、図６に示すように、第一コイル辺部３１の第一側面部６１と第二コイル辺部３２の第二側面部６２との間隔を、第一基準スロット間隔Ｄ１よりも大きくしている。
【００３７】
配置工程Ｐ２は、図５に示すように、複数のコイルユニット１０を周方向Ｃに沿って環状に配置する工程である。本実施形態では、上記のように、渡り部３８における軸方向Ｌに見て円弧状の部分の径が、コイル３がステータコア２に巻装された状態での径よりも大きくなるようにコイルユニット１０を成形しており、配置工程Ｐ２では、ステータコア２に巻装された状態で複数のコイルユニット１０が配置される円筒状の領域（図９参照）よりも大径の円筒状の領域に、複数のコイルユニット１０を配置する。この際、複数のコイルユニット１０は、加圧工程Ｐ３の実行後に当該複数のコイルユニット１０がステータコア２に巻装された状態と同じ相互位置関係で配置されるように、配置される。
【００３８】
加圧工程Ｐ３は、対象間隔Ａが基準間隔Ｂとは異なるように成形されたコイル３（ここでは、図６に示すコイルユニット１０）を用い、対象間隔Ａが基準間隔Ｂに合うように渡り部３８を外力により変形させる工程である。ここで、対象間隔Ａが基準間隔Ｂに合うとは、一対のコイル辺部３０同士の間隔が、一対のコイル辺部３０のそれぞれをスロット４０に挿入可能な間隔であることを意味し、対象間隔Ａと基準間隔Ｂとが一致する場合に加えて、対象間隔Ａと基準間隔Ｂとがずれている場合を含む概念である。本実施形態では、上記のように、対象間隔Ａが基準間隔Ｂよりも大きくなるように成形されたコイルユニット１０を用いるため、加圧工程Ｐ３では、対象間隔Ａが減少するように、具体的には、図６に矢印で示すように渡り部３８により接続される第一コイル辺部３１と第二コイル辺部３２との間隔が減少するように、渡り部３８を変形させる。本実施形態では、渡り部３８における上記の円弧状部分の径が小さくなるように渡り部３８を変形させることで、対象間隔Ａが基準間隔Ｂと合うまで、渡り部３８により接続される第一コイル辺部３１と第二コイル辺部３２との間隔を減少させる。
【００３９】
本実施形態では、加圧工程Ｐ３では、配置工程Ｐ２により軸方向Ｌを軸心とする円筒状に配置されたコイル３（本例では複数のコイルユニット１０）を全周に亘って径方向Ｒに加圧して、周方向Ｃに分散配置された複数の渡り部３８を変形させる。本実施形態では、図７に示すように、加圧工程Ｐ３における加圧方向は径方向Ｒの内側に向かう方向であり、加圧工程Ｐ３における加圧部分は軸方向Ｌの両側の渡り部３８である。加圧工程Ｐ３では、複数のコイルユニット１０が配置される円筒状の領域を、ステータコア２に巻装された状態と同様の領域まで縮径させる。この状態で、複数のコイルユニット１０のそれぞれは、ステータコア２に巻装された状態と同じ相互位置関係で配置される。図７では、円弧状の内周面を有する加圧治具９０を用いて加圧工程Ｐ３を実行する場合を例示している。すなわち、本例では、渡り部３８を変形させるための外力は、加圧治具９０によって渡り部３８に付与される押圧力である。加圧治具９０は、軸方向Ｌの両側に分かれて配置され、軸方向Ｌの両側の加圧治具９０の間には、コア片２０を径方向Ｒに移動可能な空間が形成される。
【００４０】
巻装工程Ｐ４は、加圧工程Ｐ３により渡り部３８を変形させた状態を保持したまま、渡り部３８により接続される一対のコイル辺部３０のそれぞれが互いに異なるスロット４０内の予め定められた設定位置（本例では予め定められた層）に配置されるように、コイル３をステータコア２に巻装する工程である。すなわち、巻装工程Ｐ４の実行時には、渡り部３８を変形させるための外力が渡り部３８に付与された状態が維持される。本実施形態では、図８に示すように、巻装工程Ｐ４では、コア片２０を複数用い、コイル３に対して径方向Ｒの外側であってコイル辺部３０と軸方向Ｌの同じ位置に配置された複数のコア片２０を径方向Ｒの内側へ向けて移動させて、コイル辺部３０のそれぞれをスロット４０内の設定位置に配置する。本実施形態では、複数のコイルユニット１０が配置される円筒状の配置領域の外周に沿って複数のコア片２０を配置した後、当該複数のコア片２０の夫々の径方向Ｒの位置を合わせながら複数のコア片２０の全てを径方向Ｒの内側へ向けて移動させて、コイル辺部３０のそれぞれをスロット４０内に配置する。この際、加圧工程Ｐ３により渡り部３８を変形させた状態が保持されているため、すなわち、対象間隔Ａが基準間隔Ｂに合う状態が保持されているため、コア片２０を径方向Ｒの内側に移動させることで、コイル辺部３０を容易にスロット４０に挿入することができる。
【００４１】
加圧解除工程Ｐ５は、図９に示すように、巻装工程Ｐ４の実行後に実行される工程であり、渡り部３８を変形させるための外力を取り除いて、渡り部３８により接続される一対のコイル辺部３０のそれぞれを、互いに周方向Ｃの反対側を向くスロット４０の側面部５０に当接させる工程である。本実施形態では、コイル３に対する径方向Ｒの加圧（本例では径方向Ｒの内側に向かう方向の加圧）を解除することで、渡り部３８を変形させるための外力を取り除く。図９に示す例では、加圧治具９０を径方向Ｒの外側に移動させることで、コイル３に対する加圧が解除される場合を例示している。加圧解除工程Ｐ５を実行する際には、複数のコア片２０は、例えば外周面が保持されること等によって、互いに固定された状態とされる。詳細は省略するが、加圧解除工程Ｐ５の実行後に、例えば、装着工程、接合工程、コイル固定工程等を実行することで、ステータ１（回転電機１００）が製造される。ここで、装着工程は、環状に配置された複数のコア片２０の外周面に円筒状の固定部材を装着（例えば焼き嵌めによる嵌合）させる工程である。接合工程は、異なるコイルユニット１０の接続部３９同士を接合する工程である。コイル固定工程は、ステータコア２に対してコイル３を固定する工程であり、例えば、ワニスを含浸させるワニス含浸工程や、モールドを充填するモールド充填工程等とされる。
【００４２】
以上のように、加圧工程Ｐ３では、対象間隔Ａが基準間隔Ｂに合うように渡り部３８を外力により変形させる。この際、渡り部３８を含むコイルユニット１０を構成する線状導体３４は、弾性変形に加えて塑性変形が可能な材料を用いて形成されている。すなわち、渡り部３８を変形させる荷重が弾性限界より小さい場合には、渡り部３８は弾性変形し、当該荷重が弾性限界よりも大きい場合には、渡り部３８は弾性変形に加えて塑性変形する。本実施形態では、コイルユニット１０として、渡り部３８を弾性変形させることにより対象間隔Ａを基準間隔Ｂに合わせることが可能な形状に成形されたものを用いる。すなわち、本実施形態では、加圧工程Ｐ３は、対象間隔Ａが基準間隔Ｂに合うように渡り部３８を弾性変形させる工程とされる。また、本実施形態では、上記のように、第一コイル辺部３１の第一側面部６１と第二コイル辺部３２の第二側面部６２との間隔が、第一基準スロット間隔Ｄ１よりも大きくなるように成形されたコイルユニット１０を用いる（図６参照）。そのため、加圧解除工程Ｐ５によりコイル３に対する加圧を解除した際には、渡り部３８に発生する復元力によって、第一コイル辺部３１をスロット４０の第一側面部５１に当接させると共に、第二コイル辺部３２をスロット４０の第二側面部５２に当接させることができる。この際、第一コイル辺部３１及び第二コイル辺部３２のそれぞれは、渡り部３８に発生する復元力に応じた力によって側面部５０に押し付けられるため、第一コイル辺部３１と第一側面部５１との間に発生する摩擦力と、第二コイル辺部３２と第二側面部５２との間に発生する摩擦力を利用して、コイルユニット１０のステータコア２に対する位置を保持することが可能となる。
【００４３】
このように、本実施形態では、コイルユニット１０として、対象間隔Ａを基準間隔Ｂに合わせるように渡り部３８を変形させるための外力（荷重）を取り除いた後に、当該渡り部３８に発生する復元力によって、第一コイル辺部３１及び第二コイル辺部３２のそれぞれを、互いに周方向Ｃの反対側を向く側面部５０に当接させることが可能なコイルユニットを用いている。また、本実施形態では、加圧解除工程Ｐ５の実行後の状態において、第一コイル辺部３１はスロット４０の第一側面部５１に当接するように配置され、第二コイル辺部３２はスロット４０の第二側面部５２に当接するように配置される。そのため、１つのスロット４０には、第一側面部５１に当接するコイル辺部３０と、第二側面部５２に当接するコイル辺部３０とが、１つずつ径方向Ｒに沿って交互に配置される。
【００４４】
なお、コイルユニット１０として、渡り部３８を塑性変形させることにより対象間隔Ａを基準間隔Ｂに合わせることが可能な形状に成形されたものを用いることも可能である。この場合、加圧工程Ｐ３は、対象間隔Ａが基準間隔Ｂに合うように、渡り部３８を弾性変形に加えて塑性変形させる工程とされる。この場合であっても、加圧解除工程Ｐ５によりコイル３に対する加圧を解除した際に、弾性変形分に応じた復元力（スプリングバックによる復元力）が渡り部３８に発生する。そのため、この場合においても、渡り部３８に発生する復元力によって、第一コイル辺部３１をスロット４０の第一側面部５１に当接させると共に、第二コイル辺部３２をスロット４０の第二側面部５２に当接させることが可能となる。但し、この場合には、第一コイル辺部３１の第一側面部６１と第二コイル辺部３２の第二側面部６２との間隔と、第一基準スロット間隔Ｄ１との差を、弾性変形分に応じた復元力によって第一コイル辺部３１及び第二コイル辺部３２のそれぞれを側面部５０に当接させることが可能な大きさに設定する必要がある。
【００４５】
３．その他の実施形態
最後に、本発明に係るその他の実施形態について説明する。なお、以下のそれぞれの実施形態で開示される構成は、矛盾が生じない限り、他の実施形態で開示される構成と組み合わせて適用することも可能である。
【００４６】
（１）上記の実施形態では、加圧工程Ｐ３では、対象間隔Ａが基準間隔Ｂよりも大きくなるように成形されたコイルユニット１０を用いる構成を例として説明した。しかし、本発明の実施形態はこれに限定されない。すなわち、加圧工程Ｐ３において、対象間隔Ａが基準間隔Ｂよりも小さくなるように成形されたコイルユニット１０を用いる構成とすることも可能である。すなわち、準備工程Ｐ１において、対象間隔Ａが基準間隔Ｂよりも小さくなるように成形されたコイルユニット１０を用意する構成とすることが可能である。この場合、例えば図１１に示すようなコイルユニット１０を用いることができる。図１１に示すコイルユニット１０は、渡り部３８により接続される第一コイル辺部３１と第二コイル辺部３２とについて、第一コイル辺部３１の第二側面部６２と第二コイル辺部３２の第一側面部６１との間隔が、第二基準スロット間隔Ｄ２よりも小さくなるように成形されたコイルユニットである。ここで、第二基準スロット間隔Ｄ２は、第一コイル辺部３１が配置されるスロット４０の第二側面部５２における、設定位置に配置された第一コイル辺部３１と周方向Ｃに対向する部分と、第二コイル辺部３２が配置されるスロット４０の第一側面部５１における、設定位置に配置された第二コイル辺部３２と周方向Ｃに対向する部分との間隔である。
【００４７】
このように、対象間隔Ａが基準間隔Ｂよりも小さくなるように成形されたコイルユニット１０を用いる場合には、加圧解除工程Ｐ５によりコイル３に対する加圧を解除した際に、渡り部３８に発生する復元力によって、第一コイル辺部３１がスロット４０の第二側面部５２に当接すると共に、第二コイル辺部３２がスロット４０の第一側面部５１に当接する構成とすることができる。また、この場合、加圧工程Ｐ３における加圧方向を、上記実施形態とは異なり、径方向Ｒの外側に向かう方向とし、加圧工程Ｐ３では、複数のコイルユニット１０が配置される円筒状の領域を、ステータコア２に巻装された状態と同様の領域まで拡径させる構成とすることもできる。
【００４８】
（２）上記の実施形態では、対象間隔Ａが、渡り部３８により接続される第一コイル辺部３１と第二コイル辺部３２との間の距離（直線距離）である構成を例として説明した。しかし、本発明の実施形態はこれに限定されない。例えば、渡り部３８により接続される第一コイル辺部３１と第二コイル辺部３２とのそれぞれを、ステータコア２に巻装された状態と径方向Ｒの同じ位置に配置した場合（図６参照）における、第一コイル辺部３１と第二コイル辺部３２との周方向Ｃの位置の差（角度差）を、対象間隔Ａとすることも可能である。上述した、第一コイル辺部３１の第一側面部６１と第二コイル辺部３２の第二側面部６２との間隔、第一コイル辺部３１の第二側面部６２と第二コイル辺部３２の第一側面部６１との間隔、第一基準スロット間隔Ｄ１、及び第二基準スロット間隔Ｄ２のそれぞれについても同様に、周方向Ｃの位置の差（角度差）とすることが可能である。
【００４９】
（３）上記の実施形態では、巻装工程Ｐ４では、コア片２０を複数用い、コイル３に対して径方向Ｒの外側に配置された複数のコア片２０を径方向Ｒの内側へ向けて移動させて、コイル辺部３０のそれぞれをスロット４０内の設定位置に配置する構成を例として説明した。しかし、本発明の実施形態はこれに限定されない。例えば、ステータコア２に巻装された状態と同じ円筒状に形成されたコイル３を、ステータコア２に対して軸方向Ｌに挿入することで、コイル辺部３０のそれぞれをスロット４０内の設定位置に配置する構成とすることも可能である。この場合、上記の実施形態とは異なり、ステータコア２が周方向Ｃにおいて一体的に形成された構成とすることも可能である。
【００５０】
（４）上記の実施形態では、加圧工程Ｐ３において、渡り部３８における軸方向Ｌに見て円弧状の部分の径が変化するように渡り部３８を変形させることで、対象間隔Ａを基準間隔Ｂに合わせる構成を例として説明した。しかし、本発明の実施形態はこれに限定されない。例えば、渡り部３８における頂部の径方向Ｒ視での屈曲角が変化するように渡り部３８を変形させることで、対象間隔Ａを基準間隔Ｂに合わせる構成とすることもできる。
【００５１】
（５）上記の実施形態では、コイル３が重ね巻によりステータコア２に巻装される構成を例として説明した。しかし、本発明の実施形態はこれに限定されない。例えば、コイル３が波巻によりステータコア２に巻装される構成とすることも可能である。この場合、軸方向Ｌの一方側の渡り部３８により接続される一対のコイル辺部３０については、対象間隔Ａが基準間隔Ｂよりも大きくなるように成形され、軸方向Ｌの他方側の渡り部３８により接続される一対のコイル辺部３０については、対象間隔Ａが基準間隔Ｂよりも小さくなるように成形された波巻状のコイル３を、加圧工程Ｐ３で用いる構成とすることができる。
【００５２】
（６）上記の実施形態では、スロット４０が平行スロットである構成を例として説明した。しかし、本発明の実施形態はこれに限定されない。例えば、スロット４０の一部又は全部が、径方向Ｒの内側に向かうに従って周方向Ｃの幅が小さくなるように形成される構成とすることもできる。この場合、ティース２３の周方向Ｃの両側の側面部（周方向Ｃの互いに反対側を向く２つの側面部）が互いに平行に形成される構成、すなわち、ティース２３が平行ティースである構成とすることもできる。このようにスロット４０の周方向Ｃの幅が径方向Ｒの位置に応じて異なる場合には、例えば、スロット４０に配置される複数のコイル辺部３０のそれぞれの直交断面の形状を、コイル辺部３０のそれぞれが配置される径方向Ｒの位置に応じて互いに異ならせる構成とすると好適である。
【００５３】
（７）上記の実施形態では、コイル３を構成する線状導体３４の直交断面の形状が矩形状である構成を例として説明した。しかし、本発明の実施形態はこれに限定されない。例えば、直交断面の形状が正方形状又は円形状の線状導体３４を用いてコイル３が構成されても良い。
【００５４】
（８）その他の構成に関しても、本明細書において開示された実施形態は全ての点で例示であって、本発明の実施形態はこれに限定されない。すなわち、本願の特許請求の範囲に記載されていない構成に関しては、本発明の目的を逸脱しない範囲内で適宜改変することが可能である。
【産業上の利用可能性】
【００５５】
本発明は、円筒状のコア基準面の軸方向及び径方向に延びるスロットが、コア基準面の周方向に複数分散配置されているコアと、当該コアに巻装された状態でスロット内に配置されるコイル辺部及び一対のコイル辺部をコアの軸方向の外側において接続する渡り部を有するコイルと、を備えた回転電機の製造方法に利用することができる。
【符号の説明】
【００５６】
２：ステータコア（コア）
３：コイル
２０：コア片
２３：ティース
３０：コイル辺部
３１：第一コイル辺部
３２：第二コイル辺部
３８：渡り部
４０：スロット
５０：側面部
１００：回転電機
Ａ：対象間隔
Ｂ：基準間隔
Ｃ：周方向
Ｃ１：周第一方向
Ｃ２：周第二方向
Ｄ１：第一基準スロット間隔
Ｄ２：第二基準スロット間隔
Ｌ：軸方向
Ｐ３：加圧工程（変形工程）
Ｐ４：巻装工程
Ｐ５：加圧解除工程（変形解除工程）
Ｒ：径方向
Ｓ：コア基準面
【図１】
2015035929.tif 000003
【図２】
2015035929.tif 000004
【図３】
2015035929.tif 000005
【図４】
2015035929.tif 000006
【図５】
2015035929.tif 000007
【図６】
2015035929.tif 000008
【図７】
2015035929.tif 000009
【図８】
2015035929.tif 000010
【図９】
2015035929.tif 000011
【図１０】
2015035929.tif 000012
【図１１】
2015035929.tif 000013